【手続補正書】
【提出日】平成30年5月28日(2018.5.28)
【手続補正１】
【補正対象書類名】明細書
【補正対象項目名】０３０４
【補正方法】変更
【補正の内容】
【０３０４】
従って、本発明の技術の精神および範囲から逸脱することなく、例示的な実施形態に対して多数の変更をなすことができること、および、他の構成を考え出すことができることを理解されたい。
[実施形態１]
呼吸可能なガスの流れを患者の気道に送達するための装置であって、
一セットの突出部を含む鼻腔カニューレであって、それぞれの突出部が患者の鼻腔内にガスの流れを導くように構成される鼻腔カニューレと、
前記セットの突出部にガスの流れを導くように構成されたカプラ延長部であって、前記カプラ延長部が呼吸可能なガス供給源の一つまたは複数のガス供給ラインと結合するように構成されるカプラ延長部と、を含み、
ここで、前記カプラ延長部は、呼吸マスクのクッションを受けてシールするように構成されたシート部分を含み、前記シート部分は、呼吸マスクのクッションとユーザーの顔接触面との間のシールを促進させるシールベベルを備えるものである、装置。
[実施形態２]
前記カプラ延長部が、複数のシート部分を含む、実施形態１に記載の装置。
[実施形態３]
それぞれのシート部分が、三角形のプロフィールを含む、実施形態１または２に記載の装置。
[実施形態４]
それぞれのシート部分が、レンティルプロフィールを含む、実施形態１または２に記載の装置。
[実施形態５]
それぞれのシート部分が、第１の流路を含む、実施形態１〜４のいずれか一項に記載の装置。
[実施形態６]
それぞれのシート部分が、第２の流路を含む、実施形態１〜５のいずれか一項に記載の装置。
[実施形態７]
シート部分の各流路が、円形ガス流路を含む、実施形態５または６に記載の装置。
[実施形態８]
シート部分の各流路が、矩形ガス流路を含む、実施形態５または６に記載の装置。
[実施形態９]
前記セットの突出部が、第１および第２の鼻腔プロングを含む、実施形態１〜８のいずれか一項に記載の装置。
[実施形態１０]
シートリッジを更に含む、実施形態１〜９のいずれか一項に記載の装置。
[実施形態１１]
一セットの突出部を有する鼻腔カニューレで呼吸可能なガスの流れを患者の気道に送達するための装置であって、それぞれの突出部は、ユーザーの鼻腔内にガスの流れを導くように構成され、前記装置が、
呼吸可能なガス供給源の一つまたは複数のガス供給ラインと結合するように構成されたカプラ延長部であって、前記カプラ延長部がシート部分を含み、前記シート部分が呼吸マスクのクッションを受けてシールするように構成され、前記シート部分が呼吸マスクのクッションとユーザーの顔接触面との間のシールを促進させるシールベベルを備えるものである、装置。
[実施形態１２]
前記シート部分が、呼吸可能なガス供給源のガス供給ラインを除去可能に受容するのに適合したルーメン溝を含む、実施形態１１に記載の装置。
[実施形態１３]
前記シート部分が、三角形のプロフィールを含む、実施形態１１または１２に記載の装置。
[実施形態１４]
前記シート部分が、レンティルプロフィールを含む、実施形態１１または１２に記載の装置。
[実施形態１５]
シートリッジを更に含む、実施形態１１〜１４のいずれか一項に記載の装置。
[実施形態１６]
呼吸可能なガスの流れを患者の気道に送達するための装置であって、
一セットの鼻枕を含む鼻インタフェースであって、それぞれの鼻枕がユーザーの鼻孔内に呼吸可能なガスの流れを導き、鼻孔とシールを形成するように構成される鼻インタフェースとを含み、
それぞれの鼻枕は、鼻突出部を介してガスの更なる流れを導くように構成され、前記鼻突出部は、鼻枕のシールよりも鼻突出部内に延びるように構成される、装置。
[実施形態１７]
前記鼻突出部が、鼻孔枕の通気口を含む、実施形態１６に記載の装置。
[実施形態１８]
前記鼻突出部が、鼻孔枕の表面に枕通気口を含む、実施形態１７に記載の装置。
[実施形態１９]
前記鼻突出部が、補助ガス供給源を含む、実施形態１６〜１８のいずれか一項に記載の装置。
[実施形態２０]
それぞれの鼻孔枕が、更なる鼻突出部で更に構成され、前記更なる鼻突出部が、鼻孔枕のシールよりも鼻孔内に延びるように構成される、請求項１６〜１９のいずれか一項に記載の装置。
[実施形態２１]
前記更なる鼻突出部が、鼻腔枕からもたらす大気に対する通気口を更に含む、実施形態２０に記載の装置。
[実施形態２２]
前記セットの鼻孔枕が第１および第２の鼻孔枕を含む、実施形態１６〜２１のいずれか一項に記載の装置。
[実施形態２３]
前記第１および第２の鼻孔枕が、それぞれ鼻突出部が延びる円錐台形を含む、実施形態２２に記載の装置。
[実施形態２４]
前記鼻孔枕と結合された流れ発生器を更に含み、前記流れ発生器がコントローラを含み、前記コントローラが鼻孔枕に呼吸可能なガスの流れの圧力を制御するように構成される、実施形態１６〜２３のいずれか一項に記載の装置。
[実施形態２５]
前記鼻突出部と結合された流れ発生器を更に含み、前記流れ発生器がコントローラを含み、前記コントローラが鼻孔枕に呼吸可能なガスの流れの圧力を制御するように構成される、実施形態１６〜２４のいずれか一項に記載の装置。
[実施形態２６]
前記鼻孔枕と結合された流れ発生器を更に含み、前記流れ発生器が鼻突出部と更に結合され、前記流れ発生器がコントローラを含み、前記コントローラが鼻突出部に呼吸可能なガスの更なる流れの流量と鼻孔枕に呼吸可能なガスの流れの圧力の両方を同時に制御するように構成される、実施形態１６〜２３のいずれか一項に記載の装置。
[実施形態２７]
呼吸可能なガスの流れを患者の気道に送達するための装置であって、
プレナムチャンバを含むフレームを含み、前記プレナムチャンバが供給導管と結合するための接続ポートと適合化され、前記フレームがプレナムチャンバ内に少なくとも一つの流れディレクタを含み、前記流れディレクタがユーザーの鼻孔で直接流れるようにプレナムチャンバ内に構成され、前記流れディレクタがプレナムチャンバの外側でガス供給ポートと流体連通するものである、装置。
[実施形態２８]
プレナムチャンバ内にまた一つの流れディレクタを更に含み、前記また一つの流れディレクタがユーザーのまた一つの鼻孔でガス流れを導くように前記プレナムチャンバ内に構成される、実施形態２７に記載の装置。
[実施形態２９]
それぞれの流れディレクタが、流れディレクタからガス流れの方向を調節するために中心軸に適合化された、実施形態２７または２８に記載の装置。
[実施形態３０]
それぞれの流れディレクタが、チューブ状導管を含む、実施形態２７または２８に記載の装置。
[実施形態３１]
それぞれの流れディレクタが、指向面を含む、実施形態２７または２８に記載の装置。
[実施形態３２]
前記指向面が、前記指向面に起因する流れ方向を変化させるためのスイベルとして適合される、実施形態３１に記載の装置。
[実施形態３３]
前記流れディレクタが、吸気流れに従って動的に整列するように構成された自己整列ノズルを含む、請求項２９に記載の装置。
[実施形態３４]
前記流れディレクタが、ベーンを含む、実施形態３３に記載の装置。
[実施形態３５]
前記流れディレクタが、ベーンに印加される吸気流動力に応答してノズルを回転させるためのボールジョイントを含む、実施形態３４に記載の装置。
[実施形態３６]
前記流れディレクタが、ベーン延長部を含む、実施形態３３〜３５のいずれか一項に記載の装置。
[実施形態３７]
呼吸可能なガスの流れを患者の気道に送達するための装置であって、
患者呼吸系にガスの流れを連通するように適合化された導管であって、前記導管が外部面および内部面を有する壁材料によって形成され、前記内部面は、ガスの流れのためのチャンネルを含む導管と、
前記導管の壁材料の一部分によって形成されたスリットバルブであって、前記壁材料の一部分が前記外部面の一部および前記内部面の一部分を含み、前記部分がチャンネルの圧力状態に応答して大気に対するチャンネルを開放するように移動可能なものであるスリットバルブと、を含む、装置。
[実施形態３８]
前記スリットバルブが、チャンネル内の過圧状態に応答してチャンネルから大気へのガス流れを可能にするようにチャンネルに対して外側に変形するように構成される、実施形態３７に記載の装置。
[実施形態３９]
前記スリットバルブが、チャンネル内の過圧状態に応答して大気からチャンネルへガスが流れるようにチャンネルに対して内側に変形されるように構成される、実施形態３７または３８に記載の装置。
[実施形態４０]
前記スリットバルブが、双方向バルブを含む、実施形態３７〜３９のいずれか一項に記載の装置。
[実施形態４１]
前記スリットバルブが一方向バルブを含む、実施形態３７項に記載の装置。
[実施形態４２]
前記壁材料の可動部が第１のスリットおよび第２のスリットを含み、導管の断面平面において、第１のスリットの仮想軸および第２のスリットの仮想軸は、チャンネルの内側角の非中心頂点によって角度を形成する、実施形態４１に記載の装置。
[実施形態４３]
前記スリットバルブが、チャンネル内の過圧状態に応答してチャンネルから大気へのガス流れを可能にするようにチャンネルに対して外側に変形するように構成される、実施形態４２に記載の装置。
[実施形態４４]
前記壁材料の可動部が、第１のスリットおよび第２のスリットを含み、導管の断面平面において、第１のスリットの仮想軸および第２のスリットの仮想軸は、チャンネル外側の頂点によって角度を形成する、実施形態４１に記載の装置。
[実施形態４５]
前記スリットバルブが、チャンネル内の過圧状態に応答して大気からチャンネル内へガス流れが可能になるようにチャンネルに対して内側に変形するように構成される、実施形態３７または３８に記載の装置。
[実施形態４６]
前記可動部が、前記導管の長さに平行な軸に沿って屈曲領域を含む、実施形態３７〜４５のいずれか一項に記載の装置。
[実施形態４７]
前記稼動部が、前記導管の外部面の円弧に沿って屈曲領域を含む、実施形態３７〜４６のいずれか一項に記載の装置。
[実施形態４８]
前記導管が、チューブを含む、実施形態３７〜４７のいずれか一項に記載の装置。
[実施形態４９]
前記導管が、カニューレを更に含む、実施形態３７〜４８のいずれか一項に記載の装置。
[実施形態５０]
前記導管が、カプラシースを含み、前記カプラシースが導管の一つまたは複数のスリットバルブを選択的に覆うために、導管の外部面の一部分と除去可能に係合するように構成される、実施形態３７〜４９のいずれか一項に記載の装置。
[実施形態５１]
呼吸可能なガスの流れを患者の気道に送達するための装置であって、
患者の呼吸システムから吸入された呼吸可能なガスの排出流れを可能にするように適合化された鼻孔通気口を含み、前記鼻孔通気口が、排気流れの既知のガス流れ特性を提供するように患者の鼻孔の内周をシールするように構成され、前記鼻孔通気口が、患者の呼吸システムに呼吸可能なガスを提供するための鼻腔カニューレのプロング（ｐｒｏｎｇ）を受容するように適合化される、装置。
[実施形態５２]
前記既知のガス流れ特性が既知のインピーダンスである、実施形態５１に記載の装置。
[実施形態５３]
前記鼻孔通気口が、前記鼻腔カニューレのプロングを除去可能に係合させるためのホルダーを含む、実施形態５１または５２に記載の装置。
[実施形態５４]
前記鼻孔通気口が、鼻腔カニューレの一体型プロングを含む、実施形態５１または５２に記載の装置デバイス。
[実施形態５５]
前記鼻孔通気口が、環型である、実施形態５１〜５４のいずれか一項に記載の装置。
【手続補正２】
【補正対象書類名】特許請求の範囲
【補正対象項目名】全文
【補正方法】変更
【補正の内容】
【特許請求の範囲】
【請求項１】
呼吸可能なガスの流れを患者の気道に送達するための装置であって、
一セットの突出部を含む鼻腔カニューレであって、それぞれの突出部が患者の鼻腔内にガスの流れを導くように構成される鼻腔カニューレと、
前記セットの突出部にガスの流れを導くように構成されたカプラ延長部であって、前記カプラ延長部が呼吸可能なガス供給源の一つまたは複数のガス供給ラインと結合するように構成されるカプラ延長部と、を含み、
ここで、前記カプラ延長部は、呼吸マスクのクッションを受けてシールするように構成されたシート部分を含み、前記シート部分は、呼吸マスクのクッションとユーザーの顔接触面との間のシールを促進させるシールベベルを備えるものである、装置。
【請求項２】
前記カプラ延長部が、複数のシート部分を含む、請求項１に記載の装置。
【請求項３】
それぞれのシート部分が、三角形のプロフィールを含む、請求項１または２に記載の装置。
【請求項４】
それぞれのシート部分が、レンティルプロフィールを含む、請求項１または２に記載の装置。
【請求項５】
それぞれのシート部分が、第１の流路を含む、請求項１〜４のいずれか一項に記載の装置。
【請求項６】
それぞれのシート部分が、第２の流路を含む、請求項１〜５のいずれか一項に記載の装置。
【請求項７】
シート部分の各流路が、円形ガス流路を含む、請求項５または６に記載の装置。
【請求項８】
シート部分の各流路が、矩形ガス流路を含む、請求項５または６に記載の装置。
【請求項９】
前記セットの突出部が、第１および第２の鼻腔プロングを含む、請求項１〜８のいずれか一項に記載の装置。
【請求項１０】
シートリッジを更に含む、請求項１〜９のいずれか一項に記載の装置。